(57)【要約】      （修正有）【課題】年賀ハガキ及暑中お見舞ハガキの表下枠にある抽選番号を有する懸賞付きハガキにおいて、抽選番号の下部に同一の抽選番号を記載しキリトリ線により、差出人は控として持っておき当選を確認する事が出来る仕組みを有するハガキを提供する。【解決手段】同一の抽選番号をハガキ下部の二列にわたって印刷２，３し、一方の抽選番号を切り取り可能な切り取り線４を列と列の間に設けたことを特徴とする。【選択図】図１
0003191266.tif 000002
【実用新案登録請求の範囲】
【請求項１】
同一の抽選番号を２ヶ所に印刷したハガキに一方の抽選番号を切取り可能にしたことを特徴とするハガキ
【請求項２】
年賀ハガキや暑中お見舞の受取人は従来通り、手元の抽選番号にて当選確認をする事が出来るが、差出人も当選確認をする為に抽選番号の下部又は横側に枠を設け同一抽選番号を記載し切取り線をその間に設けて投函する前に切り離し控として所持する方法にした。
【請求項３】
官製年賀ハガキや暑中お見舞のハガキ又は商店等の贈り物のハガキ受取人及差出人の抽選番号の当選に対し双方に商品もしくは賞金を与える仕組みである。
【考案の詳細な説明】
【技術の分野】
【０００１】本考案は、官製ハガキの年賀もしくは暑中お見舞等の抽選番号にてハガキを、受取人が当選した場合のみ当人に商品等が与えられているが、差出人にもその商品がもらえるようにする方法を発明した。但し、官製ハガキにかぎらずデパートや商店のハガキでも抽選に対しても可能であり、公益宝くじがあるように賞金をも与えるに事より年賀や暑中お見舞いのハガキに関心をもち友和をはかり双方が利徳とするものである。
【背景技術】
【０００２】日本郵政発行の年賀及暑中お見舞ハガキには、抽選番号があり当選者のみに商品等が与えられるのが現状である。
【先行技術文献】
【０００３】
【特許文献１】  ２００４−５４５１７号公開広報
【発明が解決しようとする課題】
【０００４】１例ではあるが官製ハガキは年間売上げ３０億万枚と膨大な数字ではあるが、まだ、まだ伸び悩みと聞く。日本人の友和や感謝の心で年に一度の「ごあいさつ」であるが、年賀の楽しみは、抽選により商品が与えられる仕組になっている。しかし当選者のみの喜びであって差出人にもその喜びを与えようとするものである。その事により年賀ハガキや暑中お見舞いハガキに関心を持ち売り上げも倍増し、賞金等を得る事により話題性もでてくる。
【課題を解決するための手段】
【０００５】年賀ハガキ及暑中お見舞ハガキの表下枠にある抽選番号でハガキ受取人は当選を確認する事が出来るが、差出人は確認する事が出来ない。そこで本考案は抽選番号の下部に同一の抽選番号を記載しキリトリ線により、差出人は控として持っておき当選を確認する事が出来る仕組みである。
【発明の効果】
【０００６】本考案は毎年来る年頭のご挨拶や暑中お見舞ハガキ一枚により友和をはかり日本国民が平和に暮せる一環として役に立ってると思うが、その抽選の当選者にのみ商品等が与えられているが双方が分かち合い又商品に限らず、賞金にする事により生活にも少しは役に立ち売り上げも倍増し国益にもつながると思う。
【図面の簡単な説明】
【０００７】
【図１】本考案に係る抽選番号付きハガキの一実施例を表す正面図
【発明を実施する為の形熊】
【０００８】本考案に係る実施例を図１により参照して以下説明する
【実施例】
【０００９】１は本体ハガキである年賀や暑中お見舞・又デパートや商店が出すものであり
２は抽選番号で形態は色々とある
３は同一の抽選番号で４のキリトリ線により取り外した事により差出人が控として保管する簡単な仕組みである。
【産業上の利用可能性】
【０００１０】年賀ハガキや暑中お見舞ハガキに限らずデパートや商店の抽選付ハガキ等も利用する事が出来、受取人と差出人が双方徳をする事になる
【符号の説明】
【０００１１】１ハガキ（年賀ハガキや暑中お見舞又商店等）
２抽選番号    受取人控
３抽選番号    差出人控
４キリトリ線
【図１】
0003191266.tif 000003
【手続補正書】
【提出日】平成25年12月5日(2013.12.5)
【手続補正１】
【補正対象書類名】実用新案登録請求の範囲
【補正対象項目名】全文
【補正方法】変更
【補正の内容】
【実用新案登録請求の範囲】
【請求項１】
同一の抽選番号を２ヶ所に印刷したハガキに一方の選出番号を切取り可能にしたことを特徴とするハガキ。
【請求項２】
上記ハガキが年賀ハガキや暑中お見舞のハガキからなることを特徴とする請求項１に記載のハガキ。
【請求項３】
上記ハガキの抽選番号の切取りに控の欄が設けられていることを特徴とする請求項１、若しくは、請求項１に記載のハガキ。
【手続補正２】
【補正対象書類名】明細書
【補正対象項目名】全文
【補正方法】変更
【補正の内容】
【考案の詳細な説明】
【技術の分野】
【０００１】本考案は、官製ハガキの年賀もしくは暑中お見舞等の抽選番号にてハガキを、受取人が当選した場合のみ当人に商品等が与えられているが、差出人にもその商品がもらえるようにする方法を考案した。但し、官製ハガキにかぎらずデパートや商店のハガキでも抽選に対しても可能であり、公益宝くじがあるように賞金をも与えるに事より年賀や暑中お見舞いのハガキに関心をもち友和をはかり双方が利徳とするものである。
【背景技術】
【０００２】日本郵政発行の年賀及暑中お見舞ハガキには、抽選番号があり当選者のみに商品等が与えられるのが現状である。何故なら、年賀ハガキ及暑中お見舞ハガキの表下枠にある抽選番号でハガキ受取人は当選を確認する事が出来るが、差出人は確認する事が出来ない。
【先行技術文献】
【０００３】
【特許文献１】  ２００４−５４５１７号公開広報
【考案が解決しようとする課題】
【０００４】１例ではあるが官製ハガキは年間売上げ３０億万枚と膨大な数字ではあるが、まだ、まだ伸び悩みと聞く。日本人の友和や感謝の心で年に一度の「ごあいさつ」であるが、年賀の楽しみは、抽選により商品が与えられる仕組になっている。しかし当選者のみの喜びであって差出人にもその喜びを与えようとするものである。その事により年賀ハガキや暑中お見舞いハガキに関心を持ち売り上げも倍増し、賞金等を得る事により話題性もでてくる。
【話題を解決するための手段】
【０００５】本考案は、同一の抽選番号を２ヶ所に印刷したハガキに一方の選出番号を切取り可能にした年賀ハガキや暑中お見舞のハガキで、ハガキの抽選番号の切取りに控の欄が設けられているので、本考案は抽選番号の下部に同一の抽選番号を記載しキリトリ線により、差出人は控として持っておき当選を確認する事が出来る仕組みである。
【考案の効果】
【０００６】本考案は毎年来る年頭のご挨拶や暑中お見舞ハガキ一枚により友和をはかり日本国民が平和の暮せる一環として役に立ってると思うが、その抽選の当選者にのみ商品等が与えられているが双方が分かち合い又商品に限らず、賞金にする事により生活にも少しは役に立ち売り上げも倍増し国益にもつながる。
【図面の簡単な説明】
【０００７】
【図１】本考案に係る抽選番号付きハガキの一実施例を表す正面図
【考案を実施する為の形熊】
【０００８】本考案に係る実施例を図１により参照して以下説明する
【実施例】
【０００９】図１は、同一の抽選番号を２ヶ所に印刷したハガキ１を図示し、受取人控用の抽選番号２と、差出人控用の抽選番号３が印刷され、キリトリ線４により一方の差出人控用の抽選番号３の控えを切取り可能にした年賀ハガキで、受取人と同一の差出人控用抽選番号３で、キリトリ線４により取り外した事により差出人が控として保管する簡単な仕組みである。
【産業上の利用可能性】
【０００１０】年賀ハガキや暑中お見舞ハガキに限らずデパートや商店の抽選付ハガキ等も利用する事が出来、受取人と差出人が双方徳をする事になる
【符号の説明】
【０００１１】１ハガキ（年賀ハガキや暑中お見舞又商店等）
２抽選番号    受取人控
３抽選番号    差出人控
４キリトリ線
【手続補正３】
【補正対象書類名】図面
【補正対象項目名】全図
【補正方法】変更
【補正の内容】
【図１】
0003191266.tif 000004
【手続補正書】
【提出日】平成26年3月27日(2014.3.27)
【手続補正１】
【補正対象書類名】実用新案登録請求の範囲
【補正対象項目名】全文
【補正方法】変更
【補正の内容】
【実用新案登録請求の範囲】
【請求項１】
同一の抽選番号をハガキ下部の二列にわたって印刷し、一方の抽選番号を切り取り可能な切り取り線を列と列の間に設けたことを特徴とするハガキ。
【請求項２】
上記ハガキが年賀ハガキや暑中お見舞のハガキからなることを特徴とする請求項１に記載のハガキ。
【請求項３】
２つの抽選番号のうち、ハガキから切り取られる方は差出人控であり、他方は受取人控であることを特徴とする請求項１、若しくは、請求項２に記載のハガキ。
【手続補正２】
【補正対象書類名】明細書
【補正対象項目名】全文
【補正方法】変更
【補正の内容】
【考案の詳細な説明】
【技術の分野】
【０００１】本考案は、官製ハガキの年賀もしくは暑中お見舞等の抽選番号にてハガキを、受取人が当選した場合のみ当人に商品等が与えられているが、差出入にもその商品がもらえるようにする方法を考案した。但し、官製ハガキにかぎらずデパートや商店のハガキでも抽選に対しても可能であり、公益宝くじがあるように賞金をも与えるに事より年賀や暑中お見舞いのハガキに関心をもち友和をはかり双方が利徳とするものである。
【背景技術】
【０００２】日本郵政発行の年賀及暑中お見舞ハガキには、抽選番号があり当選者のみに商品等が与えられるのが現状である。何故なら、年賀ハガキ及暑中お見舞ハガキの表下枠にある抽選番号でハガキ受取人は当選を確認する事が出来るが、差出人は確認する事が出来ない。
【先行技術文献】
【０００３】
【特許文献１】２００４−５４５１７号公開広報
【考案が解決しようとする課題】
【０００４】１例ではあるが官製ハガキは年間売上げ３０億万枚と膨大な数字ではあるが、まだ、まだ伸び悩みと聞く。日本人の友和や感謝の心で年に一度の「ごあいさつ」であるが、年賀の楽しみは、抽選により商品が与えられる仕組になっている。しかし当選者のみの喜びであって差出入にもその喜びを与えようとするものである。その事により年賀ハガキや暑中お見舞いハガキに関心を持ち売り上げも倍増し、賞金等を得る事により話題性もでてくる。
【話題を解決するための手段】
【０００５】本考案は、同一の抽選番号をハガキ下部の二列にわたって印刷し、一方の抽選番号を切り取り可能な切り取り線を列と列の間に設けた年賀ハガキや暑中お見舞のハガキからなり、２つの抽選番号のうち、ハガキから切り取られる方は差出入控であり、他方は受取人控であることを特徴とする。従って、同一の抽選番号を２ヶ所に印刷したハガキに一方の選出番号を切取り可能にした年賀ハガキや暑中お見舞のハガキで、ハガキの抽選番号の切取りに控の欄が設けられているので、本考案は抽選番号の下部に同一の抽選番号を記載しキリトリ線により、差出入は控として持っておき当選を確認する事が出来る仕組みである。
【考案の効果】
【０００６】本考案は毎年来る年頭のご挨拶や暑中お見舞ハガキ一枚により友和をはかり日本国民が平和の暮せる一環として役に立ってると思うが、その抽選の当選者にのみ商品等が与えられているが双方が分かち合い又商品に限らず、賞金にする事により生活にも少しは役に立ち売り上げも倍増し国益にもつながる。
【図面の簡単な説明】
【０００７】
【図１】本考案に係る抽選番号付きハガキの一実施例を表す正面図
【考案を実施するための形熊】
【０００８】本考案に係る実施例を図１により参照して以下説明する
【実施例】
【０００９】図１は、同一の抽選番号を２ヶ所に印刷したハガキ１を図示し、受取人控用の抽選番号２と、差出人控用の抽選番号３が印刷され、キリトリ線４により一方の差出入控用の抽選番号３の控えを切取り可能にした年賀ハガキで、受取人と同一の差出入控用抽選番号３で、キリトリ線４により取り外した事により差出入が控として保管する簡単な仕組みである。
【産業上の利用可能性】
【０００１０】年賀ハガキや暑中お見舞ハガキに限らずデパートや商店の抽選付ハガキ等も利用する事が出来、受取人と差出入が双方徳をする事になる
【符号の説明】
【０００１１】１    ハガキ（年賀ハガキや暑中お見舞又商店等）
２    抽選番号    受取人控
３    抽選番号    差出人控
４    キリトリ線
【手続補正３】
【補正対象書類名】図面
【補正対象項目名】全図
【補正方法】変更
【補正の内容】
【図１】
0003191266.tif 000005